(57)【特許請求の範囲】
【請求項１】
棒金を収納する第１の空間と、
前記第１の空間が設けられる収納部に設けられ、前記第１の空間に収納される棒金の収納状態と異なる収納状態で棒金を収納する第２の空間と、
を備え、
前記第２の空間に収納される棒金は、容器に収納された状態で前記第２の空間に収納される、現金処理装置。
【請求項２】
前記第１の空間と前記第２の空間とは隣接して設けられる、請求項１に記載の現金処理装置。
【請求項３】
前記第２の空間に収納される棒金は、前記第１の空間に収納される棒金の補充用の棒金である、請求項１または２に記載の現金処理装置。
【請求項４】
前記収納部は、前記現金処理装置から引き出され、
前記第１の空間は、前記第２の空間よりも前記収納部の引き出される方向に設けられる、請求項１〜３のいずれか１項に記載の現金処理装置。
【請求項５】
前記第２の空間への棒金の収納に係る操作が行われた際に、前記操作が行われたことを記録する制御部と、
前記制御部によって前記操作が行われたことが記録される場合、記録に係る情報を出力する出力部と、
をさらに備える、請求項１〜４のいずれか１項に記載の現金処理装置。
【請求項６】
前記出力部は、前記記録に係る情報を表示する、請求項５に記載の現金処理装置。
【請求項７】
前記出力部は、前記記録に係る情報を印刷する、請求項５に記載の現金処理装置。
【請求項８】
前記出力部は、通信を介して他の装置に前記記録に係る情報を送信する、請求項５に記載の現金処理装置。
【発明の詳細な説明】
【技術分野】
【０００１】
本発明は、現金処理装置に関する。
【背景技術】
【０００２】
近年、コンビニエンスストアまたはスーパーマーケット等の小売店において、売上金または釣銭準備金等の管理のために現金処理装置が用いられている。このような現金処理装置は一般的に入出金機能および現金収納機能を備える。
【０００３】
例えば、特許文献１では、釣銭準備金としての棒金を収納し、当該棒金の誤収納を検出する現金処理装置が開示されている。
【先行技術文献】
【特許文献】
【０００４】
【特許文献１】特開２０１３−１７５０３１号公報
【発明の概要】
【発明が解決しようとする課題】
【０００５】
しかし、特許文献１で開示される現金処理装置は、棒金が全て立位状態で棒金収納庫に収納される構造を有しており、当該棒金収納庫内に他の状態で棒金を収納することが困難であるという問題があった。
【０００６】
そこで、本発明は、上記問題に鑑みてなされたものであり、本発明の目的とするところは、１つの収納部に棒金を２つの異なる状態で収納することが可能な、新規かつ改良された現金処理装置を提供することにある。
【課題を解決するための手段】
【０００７】
棒金を収納する第１の空間と、
前記第１の空間が設けられる収納部に設けられ、前記第１の空間に収納される棒金の収納状態と異なる収納状態で棒金を収納する第２の空間と、
を備え、
前記第２の空間に収納される棒金は、容器に収納された状態で前記第２の空間に収納される、現金処理装置。
【０００８】
また、前記第１の空間と前記第２の空間とは隣接して設けられてもよい。
【０００９】
また、前記第２の空間に収納される棒金は、前記第１の空間に収納される棒金の補充用の棒金であってもよい。
【００１０】
また、前記収納部は、前記現金処理装置から引き出され、前記第１の空間は、前記第２の空間よりも前記収納部の引き出される方向に設けられてもよい。
【００１２】
また、前記第２の空間への棒金の収納に係る操作が行われた際に、前記操作が行われたことを記録する制御部と、前記制御部によって前記操作が行われたことが記録される場合、記録に係る情報を出力する出力部と、をさらに備えてもよい。
【００１３】
また、前記出力部は、前記記録に係る情報を表示してもよい。
【００１４】
また、前記出力部は、前記記録に係る情報を印刷してもよい。
【００１５】
また、前記出力部は、通信を介して他の装置に前記記録に係る情報を送信してもよい。
【発明の効果】
【００１６】
以上説明したように本発明によれば、１つの収納部に棒金を２つの異なる状態で収納することが可能な現金処理装置が提供される。
【図面の簡単な説明】
【００１７】
【図１】一般的な現金処理装置の構成を説明するための図である。
【図２】本発明の第１の実施形態に係る現金処理装置の正面図である。
【図３】本実施形態に係る現金処理装置の側面図である。
【図４】本実施形態に係る現金処理装置から棒金収納部が引き出されている状態の現金処理装置の側面図である。
【図５】本実施形態に係る現金処理装置の第２の空間に棒が収納されている状態の棒金収納部の内部構造の例を示す斜視図である。
【図６】本実施形態に係る現金処理装置の第２の空間に棒が収納される前の棒金収納部の内部構造の例を示す斜視図である。
【図７】本発明の第２の実施形態に係る現金処理装置の正面図である。
【図８】本実施形態に係る現金処理装置の表示部が表示する画面の例を示す図である。
【図９】本実施形態に係る現金処理装置の表示部が表示する画面の他の例を示す図である。
【図１０】本実施形態における現金処理装置の処理を概念的に示すフローチャートである。
【図１１】本実施形態の第１の変形例に係る現金処理装置の正面図である。
【図１２】本実施形態の第２の変形例に係る現金処理装置と外部装置との構成例を示す図である
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜１．本発明の一実施形態に係る現金処理装置の概要＞
まず、本発明の一実施形態に係る現金処理装置の概要を説明する。
【００２０】
本発明の一実施形態に係る現金処理装置１００−１を図２に示す。現金処理装置１００−１は入出金処理機能および現金収納機能を有する。現金処理装置１００−１は、硬貨または紙幣等の現金が投入された際に、投入される現金を金種別に収納し、出金操作が行われた際に、操作によって指示される金種の現金を放出する。また、現金処理装置１００−１は、入出金処理が行われる現金以外に、釣銭準備金等として棒金を収納する。
【００２１】
例えば、店舗の売上金が店員によって現金処理装置１００−１に投入される際に、現金処理装置１００−１は投入される売上金を金種別に収納し、現金回収業者が売上金を回収する際に、現金処理装置１００は売上金の金額に相当する現金を放出する。また、店員がレジスタの釣銭を補充する場合等に、現金処理装置１００−１に収納される棒金が取り出される。
【００２２】
ここで、一般的に、釣銭準備金等として用いられる棒金は、現金回収業者等の外部業者によって配送され、配送される棒金を受け取る小売店の店長等の内部責任者によって現金処理装置に収納されることになっている。まず、図１を参照して一般的な現金処理装置について説明する。図１は、一般的な現金処理装置の構成を説明するための図である。例えば、図１に示したように、一般的な現金処理装置２００は、操作部２０２および棒金収納部２０４を備える。操作部２０２は、現金処理装置２００を操作するための入力操作等を受け付け、棒金収納部２０４は、複数の棒金１０を収納空間全体に立位状態で配置させて収納する収納庫である。そのため、内部責任者は、外部業者から棒金１０を受け取った後、当該棒金１０を立位状態で棒金収納部２０４に収納する。
【００２３】
しかし、外部業者による棒金１０の配送時に内部責任者が不在である場合は、外部業者は棒金１０を内部責任者に直接渡すことができず、また外部業者は棒金収納部２０４に棒金１０を立位状態に収納する作業を請け負っていないことが多い。そこで、外部業者は別個の金庫等に棒金１０を保管して立ち去ることになっている。そのため、内部責任者は、別個の金庫等から棒金１０を取り出し、取り出される棒金１０を現金処理装置２００に収納するという煩わしい作業を行っていた。
【００２４】
そこで、本発明では、１つの収納部に棒金を２つの異なる状態で収納することが可能な現金処理装置１００−１を提供する。以下、現金処理装置１００−１の構成および動作について順次説明する。なお、説明の便宜上、第１、第２の実施形態による現金処理装置を、現金処理装置１００−１、現金処理装置１００−２のように、末尾に実施形態に対応する番号を付することにより区別する。
【００２５】
＜２．本発明の第１の実施形態（棒金収納構造の例）＞
次に、本発明の第１の実施形態に係る現金処理装置１００−１について説明する。
【００２６】
［２−１．現金処理装置の構成］
まず、図２および図３を参照して、本発明の第１の実施形態に係る現金処理装置１００−１の構成について説明する。図２は、本発明の第１の実施形態に係る現金処理装置１００−１の正面図であり、図３は、本発明の第１の実施形態に係る現金処理装置１００−１の側面図である。
【００２７】
図２および図３に示したように、現金処理装置１００−１は、操作部１０２、制御部１０４、硬貨処理部１０６、紙幣処理部１０８および棒金収納部１１０を備える。
【００２８】
操作部１０２は、現金処理装置１００−１を動作させるための操作を受け付ける。具体的には、操作部１０２は、現金処理装置１００−１に行わせる動作を選択する操作を検出し、検出される操作に係る情報を制御部１０４に通知する。例えば、操作部１０２は、図２および図３に示したように現金処理装置１００−１の上部に配置され、現金処理装置１００−１に行わせる動作のメニューを選択するキー入力を受け付け得る。
【００２９】
制御部１０４は、現金処理装置１００−１の動作を制御する。具体的には、制御部１０４は、操作部１０２によって通知される操作に係る情報に基づいて、現金処理装置１００−１の備える各構成の動作を制御する。例えば、ユーザによって入出金メニューが選択された際に、操作部１０２は、当該選択操作を検出し、検出される当該選択操作に係る情報を制御部１０４に通知する。当該通知を受ける制御部１０４は、硬貨処理部１０６および紙幣処理部１０８等の入出金処理を行わせる。また、制御部１０４は、棒金収納部１１０の施錠および開錠を制御する。例えば、制御部１０４は、操作部１０２からユーザによる棒金収納に係るメニューの選択操作に係る情報が通知される場合、棒金収納部１１０を開錠させる。
【００３０】
硬貨処理部１０６は、硬貨の入出金処理を行う。具体的には、硬貨処理部１０６は、硬貨入出金口および硬貨収納部等で構成され、制御部１０４の指示に基づいて、硬貨入出金口から投入される硬貨を硬貨収納部に収納し、また指示される数量の硬貨を硬貨入出金口に放出する。
【００３１】
紙幣処理部１０８は、紙幣の入出金処理を行う。具体的には、紙幣処理部１０８は、紙幣入出金口および紙幣収納部等で構成され、制御部１０４の指示に基づいて、紙幣入出金口から投入される紙幣を紙幣収納部に収納し、また指示される数量の紙幣を紙幣入出金口に放出する。
【００３２】
棒金収納部１１０は、棒金１０を収納する。具体的には、棒金収納部１１０は、棒金１０を収納する第１の空間と、当該第１の空間に収納される棒金１０の収納状態と異なる収納状態で棒金１０を収納する第２の空間と、を有する。例えば、棒金収納部１１０は、棒金１０を立位状態で収納する空間と、棒金１０を臥位状態で収納する空間とを有し得る。当該棒金収納部１１０について図４〜図６を参照して詳細に説明する。図４は、本実施形態に係る現金処理装置１００−１から棒金収納部１１０が引き出されている状態の現金処理装置１００−１の側面図であり、図５は、本実施形態に係る現金処理装置１００−１の第２の空間に棒金１０が収納されている状態の棒金収納部１１０の内部構造の例を示す斜視図であり、図６は、本実施形態に係る現金処理装置１００−１の第２の空間に棒金１０が収納される前の棒金収納部１１０の内部構造の例を示す斜視図である。
【００３３】
棒金収納部１１０は、現金処理装置１００−１から引き出される引き出しのような形状である。例えば、ユーザによって棒金収納に係るメニューが選択される場合、操作部１０２によって当該選択操作に係る情報が制御部１０４に通知され、制御部１０４は棒金収納部１１０を開錠させる。そして、棒金収納部１１０は、ユーザによって図４に示したように現金処理装置１００−１から引き出される。
【００３４】
また、棒金収納部１１０は、互いに異なる収納状態で棒金１０を収納する第１の空間および第２の空間を有する。例えば、棒金収納部１１０は、図４に示したように、棒金１０を立位状態で収納する第１の空間Ａと、棒金１０を例えば臥位状態で収納する第２の空間Ｂを有する。なお、第２の空間Ｂにおける棒金１０は、ポーチ２０のような容器に収められ得る。このように、第１の空間Ａに収納する棒金１０と第２の空間Ｂに収納する棒金１０は収納状態が異なる。ポーチ２０については後述する。また、第１の空間において棒金１０が立位状態で収納されることにより、第１の空間における棒金１０の設置および取り出しを容易にすることができる。さらに、図５および図６を参照して棒金収納部１１０の内部構造について詳細に説明する。
【００３５】
棒金収納部１１０の第１の空間および第２の空間は隣接して設けられる。例えば、図５に示したように、立位状態で棒金１０が収納される第１の空間Ａは、棒金収納部１１０の引き出される方向に第２の空間Ｂと並んで隣接するように設けられ得る。また、第２の空間Ｂに収納される棒金１０は、第１の空間Ａに収納される棒金１０の補充用の棒金である。このため、第２の空間に収納される棒金１０を第１の空間に移し替えることが容易になり、ユーザの作業を効率化することが可能となる。なお、第１の空間および第２の空間は、棒金収納部１１０の内部にどのような配置で設けられてもよい。例えば、第１の空間Ａおよび第２の空間Ｂは、引き出される方向と直交する方向に並んで隣接するように設けられ得る。また、第２の空間は複数の空間に分割されてもよい。例えば、第２の空間Ｂは、棒金収納部１１０が引き出される方向に２以上の空間に分割され得る。また、第１の空間Ａと第２の空間Ｂとの間に別の空間または物体等が配置されてもよい。
【００３６】
また、棒金収納部１１０の第１の空間は、第２の空間よりも棒金収納部１１０の引き出される方向に設けられる。例えば、棒金収納部１１０は、図５に示した引手３０を使ってユーザにより引き出され、第１の空間Ａは、第２の空間Ｂよりも引き出される方向に設けられる。このため、棒金収納部１１０を引き出すユーザにとって、補充用の棒金１０が収納される第２の空間よりも手前に第１の空間が設けられることにより、立位状態で収納される棒金１０の取り出しが容易となり、ユーザの利便性を向上させることが可能となる。
【００３７】
さらに、第２の空間に収納される棒金１０は容器に収められ、当該容器が第２の空間に収納される。例えば、棒金１０は図５に示したようなポーチ２０等の容器に収められ、当該ポーチ２０は図６に示したような第２の空間Ｂに収納され得る。例えばポーチ２０は、袋状の容器であり、防犯上の理由から不透明で外見では中身を把握しにくく破損しづらい材質で製造される。また、ポーチ２０は施錠可能であり、ポーチ２０の開錠のための鍵は、内部責任者と、外部業者のうちの配送される棒金１０の準備者とが有する。なお、ポーチ２０はケースまたは箱のような容器であってもよい。
【００３８】
このように、第２の空間に収納される棒金１０は容器に収められ、当該容器が第２の空間に収納される。このため、外部業者は複数の棒金１０を１つの容器にまとめて配送し、および収納することができ、配送作業を効率化することが可能となる。第２の空間に収納される棒金１０は、ポーチのような容器に収納されていればよく、臥位状態でなくともよい。
【００３９】
なお、上記では、第２の空間には棒金１０または棒金１０が収められる容器が収納される例を説明したが、第２の空間には棒金１０以外の金品が収納されてもよい。具体的には、第２の空間には、鍵、ＩＣ（Ｉｎｔｅｇｒａｔｅｄ  Ｃｉｒｃｕｉｔ）カード、プリペイドカードまたは紙幣等の金品が収納され、または当該金品が収納される容器が収納される。この場合、施錠される棒金収納部１１０に貴重品が収納されることにより、貴重品の盗難等を防止することが可能となる。
【００４０】
このように、本発明の第１の実施形態によれば、現金処理装置１００−１は、棒金１０を収納する第１の空間と、第１の空間が設けられる棒金収納部１１０に設けられ、第１の空間に収納される棒金１０の収納状態と異なる収納状態で棒金１０を収納する第２の空間とを備える。このため、立位状態で棒金１０を収納しない外部業者が、配送される棒金１０を棒金収納部１１０に直接収納することができるようになり、内部責任者による棒金１０の補充作業を効率化することが可能となる。
【００４１】
＜３．本発明の第２の実施形態（棒金収納の有無を通知する例）＞
以上、本発明の第１の実施形態に係る現金処理装置１００−１について説明した。次に、本発明の第２の実施形態に係る現金処理装置１００−２について説明する。本発明の第２の実施形態に係る現金処理装置１００−２は、棒金収納部１１０の第２の空間に棒金１０が収納された旨をユーザに通知する。
【００４２】
［３−１．現金処理装置の構成］
まず、図７を参照して、本発明の第２の実施形態に係る現金処理装置１００−２の構成について説明する。図７は、本発明の第２の実施形態に係る現金処理装置１００−２の正面図である。
【００４３】
現金処理装置１００−２は、図７に示したように、操作部１０２、制御部１０４、硬貨処理部１０６、紙幣処理部１０８および棒金収納部１１０に加えて、表示部１２０を備える。
【００４４】
制御部１０４は、特定の操作が行われたことを記録する。具体的には、制御部１０４は、操作部１０２によって操作に係る情報が通知された際に、当該情報の示す操作が棒金収納部１１０の第２の空間への棒金の収納に係る操作（以下、棒金収納操作とも称する。）であるかの判定を行う。操作が第２の空間への棒金収納操作であると判定される場合、制御部１０４は、第２の空間への棒金収納操作が行われた旨を、現金処理装置１００−２の別途備える記憶部に記憶させる。
【００４５】
例えば、制御部１０４は、操作部１０２によってメニュー選択操作に係る情報が通知された際に、当該情報の示す操作が棒金収納に係るメニューの選択操作であるかの判定を行う。操作が棒金収納に係るメニューの選択操作であると判定される場合、制御部１０４は、棒金収納に係るメニューが選択された旨を記憶部に記憶させる。なお、制御部１０４は、棒金収納操作が行われた旨を記憶部に記憶させる代わりに、記憶部に記憶される所定のフラグ等の情報を更新してもよく、操作履歴として操作に係る情報を記憶部に記憶させてもよい。
【００４６】
また、制御部１０４は、記録に係る情報を表示部１２０に表示させる。具体的には、制御部１０４は、棒金収納操作の行われた旨が記憶部に記憶されている場合、その旨を示す情報を表示部１２０に表示させる。なお、制御部１０４は、記録に係る情報の表示後に棒金収納部１１０が開錠される場合、記憶部に記憶される棒金収納操作が行われた旨の表示を停止させてもよく、さらにその旨を記憶部から削除してもよい。
【００４７】
表示部１２０は、出力部として、現金処理装置１００−２の操作に係る情報を表示する。具体的には、表示部１２０は、現金処理装置１００−２の動作をユーザに選択させるための情報を表示し、また制御部１０４によって記録される、棒金収納操作が行われた旨に係る情報を表示する。例えば、表示部１２０はタッチパネル等であり得る。なお、表示部１２０は操作部１０２と一体となって形成されてもよい。さらに、図８および図９を参照して、表示部１２０の表示内容について詳細に説明する。図８は、本実施形態に係る現金処理装置１００−２の表示部１２０が表示する画面の例を示す図であり、図９は、本実施形態に係る現金処理装置１００−２の表示部１２０が表示する画面の他の例を示す図である。
【００４８】
まず、表示部１２０は、現金処理装置１００−２の動作をユーザに選択させるための情報、例えば操作メニューを表示する。例えば、図８に示したように、表示部１２０は、開錠、設定、釣銭配金の装填、点検、戻入および印字のような各操作に係る操作メニューがそれぞれ表示される画面４０を表示する。また、表示部１２０は、操作者が特定される場合は、特定される操作者を識別する情報、例えばＩＤ（ＩＤｅｎｔｉｆｉｅｒ）情報を表示する。
【００４９】
また、表示部１２０は、制御部１０４からの指示に基づいて棒金収納操作が行われた旨を表示する。例えば、操作部１０２は、図８に示したような「釣銭配金の装填」メニューがユーザによって選択される場合、制御部１０４に当該操作に係る情報を通知する。当該情報の通知を受ける制御部１０４は、当該情報の示す操作が棒金収納に係るメニューの選択操作であると判定して、「釣銭配金の装填」メニューが選択された旨を記憶部に記憶させる。さらに、制御部１０４は、記憶部に「釣銭配金の装填」メニューが選択された旨が記憶されているため、表示部１２０にその旨に係る情報の表示を指示する。当該指示を受ける表示部１２０は、制御部１０４からの指示に係る情報、例えば図９に示したような「釣銭配金有り」という情報を画面４０に表示する。なお、棒金収納に係るメニューが選択された旨を示す情報は、文字のほか、図形、記号、色彩等であってもよく、表示の点滅のような表示の変化等により強調されてもよい。また、棒金収納に係るメニューが選択された旨を示す情報として、選択された棒金収納に係るメニューが強調表示されてもよい。
【００５０】
［３−２．現金処理装置の処理］
次に、本実施形態における現金処理装置１００−２の処理について図１０を参照して説明する。図１０は、本実施形態における現金処理装置１００−２の処理を概念的に示すフローチャートである。
【００５１】
まず、現金処理装置１００−２は、ユーザ操作を検出するまで待機する（ステップＳ４０２）。具体的には、ユーザよって現金処理装置１００−２の操作メニューを選択する操作が行われた際、操作部１０２は当該操作を検出し、当該操作に係る情報を制御部１０４に通知する。
【００５２】
メニュー選択操作が検出された際、現金処理装置１００−２は、検出される操作が棒金収納操作であるかを判定する（ステップＳ４０４）。具体的には、メニュー選択操作に係る情報が操作部１０２によって通知される制御部１０４は、当該メニュー選択操作により選択されたメニューが棒金収納に係るメニュー、例えば釣銭配金の装填であるかを判定する。
【００５３】
検出される操作が棒金収納操作であると判定される場合、現金処理装置１００−２は、棒金収納操作が行われた旨を記録する（ステップＳ４０６）。具体的には、制御部１０４は、選択されたメニューが棒金収納に係るメニューであると判定される場合、棒金収納操作が行われた旨を記憶部に記憶させる。
【００５４】
次に、現金処理装置１００−２は、棒金収納操作が行われた旨の記録があるかを判定する（ステップＳ４０８）。具体的には、制御部１０４は、記憶部に棒金収納操作が行われた旨が記憶されているかを判定する。
【００５５】
棒金収納操作が行われた旨の記録があると判定される場合、現金処理装置１００−２は、棒金収納操作が行われた旨を示す情報を表示する（ステップＳ４１０）。具体的には、制御部１０４は、記憶部に棒金収納操作が行われた旨が記憶されていると判定される場合、表示部１２０にその旨に係る情報の表示を指示し、表示部１２０は、制御部１０４から指示される情報を画面に表示する。
【００５６】
このように、本発明の第２の実施形態によれば、現金処理装置１００−２は、棒金収納部１１０の第２の空間への棒金の収納に係る操作が行われた際に、当該操作が行われたことを記録し、当該操作が行われたことが記録される場合、当該記録に係る情報を出力する。このため、ユーザは、棒金収納部１１０の内部を確認することなく、第２の空間への棒金収納操作が行われたことを把握することができ、ユーザの手間を削減することが可能となる。
【００５７】
また、現金処理装置１００−２は、記録に係る情報を表示する。このため、視覚的に記録に係る情報がユーザに提示されることにより、ユーザが当該情報の提示に気づきやすくすることが可能となる。
【００５８】
［３−３．変形例］
以上、本発明の第１の実施形態について説明した。なお、本実施形態は、上述の例に限定されない。以下に、本実施形態の第１および第２の変形例について説明する。
【００５９】
（第１の変形例）
本実施形態の第１の変形例として、現金処理装置１００−２は、第２の空間への棒金収納操作が行われた旨の記録に係る情報（以下、記録に係る情報とも称する。）を印刷してもよい。具体的には、現金処理装置１００−２は印刷部１２２をさらに備え、印刷部１２２は、制御部１０４からの指示に基づいて、第２の空間への棒金収納操作が行われた旨の記録に係る情報を印刷する。印刷部１２２について図１１を参照して説明する。図１１は、本実施形態の第１の変形例に係る現金処理装置１００−２の正面図である。
【００６０】
現金処理装置１００−２は、図１１に示したように、操作部１０２、制御部１０４、硬貨処理部１０６、紙幣処理部１０８、棒金収納部１１０および表示部１２０に加えて、印刷部１２２を備える。例えば、印刷部１２２は、図１１に示したように、現金処理装置１００−２の筐体の上面に設けられ得る。
【００６１】
印刷部１２２は、出力部として、制御部１０４からの指示に基づいて印刷を行う。例えば、制御部１０４は、記憶部に「釣銭配金の装填」メニューが選択された旨が記憶された際に、印刷部１２２にその旨に係る情報の印刷を指示する。そして、印刷部１２２は、制御部１０４からの指示に係る情報、例えば「釣銭配金有り」という文字列を紙のような媒体に印刷し、印刷された媒体を排出する。
【００６２】
このように、本実施形態の第１の変形例によれば、現金処理装置１００−２は、第２の空間への棒金収納操作が行われた旨の記録に係る情報を印刷する。このため、現金処理装置１００−２に表示部が備えられていない場合であっても、ユーザに第２の空間への棒金収納操作が行われた旨を提示することができ、ユーザの利便性を確保することが可能となる。
【００６３】
なお、上記では、記録に係る情報は自動的に印刷される例を説明したが、記録に係る情報はユーザ操作によって印刷されてもよい。具体的には、制御部１０４は、操作部１０２から印刷指示操作に係る情報が通知された際に、印刷部１２２に当該記録に係る情報を印刷させる。
【００６４】
例えば、操作部１０２は、図８に示したような「印字」メニューがユーザによって選択される場合、制御部１０４に「印字」メニューの選択操作に係る情報を通知する。当該情報の通知を受ける制御部１０４は、当該情報の示す操作が印刷に係るメニューの選択操作であると判定し、印刷部１２２に記録に係る情報の印刷を指示する。そして、印刷部１２２は、記録に係る情報および他の印刷内容を紙等の媒体に印刷し、印刷された媒体を排出する。なお、印刷部１２２は、記録に係る情報のみ印刷してもよく、他の印刷内容と別個に記録に係る情報を印刷してもよい。この場合、ユーザの明示的な操作によって記録に係る情報が印刷されることにより、記録に係る情報が自動的に印刷され、ユーザが印刷されたことおよびその媒体に気付かない場合に、当該媒体が紛失される等といった可能性を低減することが可能となる。
【００６５】
（第２の変形例）
本実施形態の第２の変形例として、現金処理装置１００−２は、第２の空間への棒金収納操作が行われた旨の記録に係る情報を、通信を介して他の装置に送信してもよい。具体的には、現金処理装置１００−２は通信部１２４をさらに備え、通信部１２４は、制御部１０４からの指示に基づいて、第２の空間への棒金収納操作が行われた旨の記録に係る情報を他の装置に送信する。本変形例に係る現金処理装置１００−２について図１２を参照して説明する。図１２は、本実施形態の第２の変形例に係る現金処理装置１００−２と外部装置３００との構成例を示す図である。
【００６６】
現金処理装置１００−２は、図１２に示したように、操作部１０２、制御部１０４、硬貨処理部１０６、紙幣処理部１０８、棒金収納部１１０および表示部１２０に加えて、通信部１２４を備える。また、現金処理装置１００−２は外部装置３００と通信可能に接続される。
【００６７】
通信部１２４は、出力部として、外部装置３００との通信を行う。具体的には、通信部１２４は、制御部１０４の指示に基づいて記録に係る情報を外部装置３００に送信する。例えば、制御部１０４は、記憶部に「釣銭配金の装填」メニューが選択された旨が記憶された際に、通信部１２４にその旨に係る情報を外部装置３００に向けて送信するように指示する。そして、通信部１２４は、制御部１０４からの指示を受けた際に、例えば記憶部に記憶されている操作履歴を外部装置３００に送信する。なお、図１２では、通信部１２４は有線通信を介して外部装置３００と通信を行う例を示したが、通信部１２４は無線通信その他の利用可能な通信を介して外部装置３００と通信を行ってもよい。
【００６８】
このように、本実施形態の第２の変形例によれば、現金処理装置１００−２は、第２の空間への棒金収納操作が行われた旨の記録に係る情報を、通信を介して他の装置に送信する。このため、現金処理装置１００−２がユーザに情報を直接的に提示する構成を備えない場合であっても、外部装置３００等を利用して記録に係る情報を確認することが可能となる。
【００６９】
＜４．むすび＞
以上、本発明の第１の実施形態によれば、立位状態で棒金１０を収納しない外部業者が、配送される棒金１０を棒金収納部１１０に直接収納することができるようになり、内部責任者による棒金１０の補充作業を効率化することが可能となる。また、本発明の第２の実施形態によれば、ユーザは、棒金収納部１１０の内部を確認することなく、第２の空間への棒金収納操作が行われたことを把握することができ、ユーザの手間を削減することが可能となる。
【００７０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７１】
１００−１、１００−２    現金処理装置
１０２    操作部
１０４    制御部
１０６    硬貨処理部
１０８    紙幣処理部
１１０    棒金収納部
１２０    表示部
１２２    印刷部
１２４    通信部
【図１】
0006318892.tif 000002
【図２】
0006318892.tif 000003
【図３】
0006318892.tif 000004
【図４】
0006318892.tif 000005
【図５】
0006318892.tif 000006
【図６】
0006318892.tif 000007
【図７】
0006318892.tif 000008
【図８】
0006318892.tif 000009
【図９】
0006318892.tif 000010
【図１０】
0006318892.tif 000011
【図１１】
0006318892.tif 000012
【図１２】
0006318892.tif 000013